(57)【特許請求の範囲】
【請求項１】
音源からの伝播音波の周波数を含む周波数の音波を発信する音波発信部と、
前記音波発信部から発信される前記音波を受信する音波受信部と、が互いに前記音波発信部の音波発信面と前記音波受信部の音波受信面の向きが交差して一対の組となるように連結され、前記一対の組は、一方の組の前記音波発信面が他方の組の前記音波受信面と離間して向かい合い、前記音源を囲う空間を形成するように複数配置された、
ことを特徴とする遮音装置。
【請求項２】
複数配置される前記一対の組は、それぞれの前記音波発信部から発信される前記音波が前記伝播音波と混合し前記伝播音波を前記空間の外部で聞き取りにくくする、
ことを特徴とする請求項１に記載の遮音装置。
【請求項３】
前記音波受信部は、離隔して複数配置され、前記音波発信部は、それぞれの向かい合う前記音波受信部の前記音波受信面に対して前記音波を発信するように複数の音波発信面が交差するように角度を有して配置されている、
ことを特徴とする請求項１又は２に記載の遮音装置。
【請求項４】
離隔して配置された複数の前記音波受信部のひとつは、他の前記音波受信部に対して前記空間の外側になるように配置されている、
ことを特徴とする請求項３に記載の遮音装置。
【請求項５】
離隔して配置された複数の前記音波受信部のひとつは、他の前記音波受信部に対して前記空間の内側になるように配置されている、
ことを特徴とする請求項３に記載の遮音装置。
【請求項６】
前記音波発信部及び前記音波受信部は、前記音波の進行方向と交差する方向に延びる柱状体であって、前記音波発信部は、超音波を搬送波として前記音波を出力する超指向性スピーカが前記柱状体の長手方向に沿って複数配列されている、
ことを特徴とする請求項１ないし５のいずれか１項に記載の遮音装置。
【請求項７】
前記空間の上部に、前記音波発信部と前記音波受信部が互いに対向して前記空間を覆うように更に配置されている、
ことを特徴とする請求項１ないし６のいずれか１項に記載の遮音装置。
【発明の詳細な説明】
【技術分野】
【０００１】
本発明は、遮音装置に関する。
【背景技術】
【０００２】
平面視で空間を区画することによって、内部に携帯端末の利用空間を形成する吸音パネルと、利用空間の外側に向かって設けられたスピーカと、スピーカから、マスキング音を発生させるマスキング音発生装置とからなり、マスキング音は、高音域が減衰しているマスキング機能を備えた携帯端末用ブースが知られている（特許文献１）。
【０００３】
床面に設置したときに天井面に接しない高さを有し、第１壁面と当該第１壁面と対向する第２壁面とを有する間仕切り用のパネル本体と、パネル本体の第１壁面と第２壁面との間に設けられ、供給されるマスキング音信号を音波に変換して出力する放音手段とを具備し、パネル本体は、放音手段から出力された音波が当該パネル本体の外部へ出射する出射位置が当該パネル本体の上方となっており、当該出射位置からの当該音波の伝搬経路のうち、当該パネル本体の第１壁面が隔壁となる空間及び当該空間の上方にある上方空間に向かう伝搬経路を遮蔽する遮蔽部を有している間仕切り用パネルも知られている（特許文献２）。
【先行技術文献】
【特許文献】
【０００４】
【特許文献１】特開２０２０−１９０１５１号公報
【特許文献２】特開２０１２−８２６１６号公報
【発明の概要】
【発明が解決しようとする課題】
【０００５】
本発明は、空間内の音声や会話の内容を外部から聞き取りにくくすることができる空間を低コストで容易に設置することができる遮音装置を提供する。
【課題を解決するための手段】
【０００６】
前記課題を解決するために、請求項１に記載の遮音装置は、
音源からの伝播音波の周波数を含む周波数の音波を発信する音波発信部と、
前記音波発信部から発信される前記音波を受信する音波受信部と、が互いに前記音波発信部の音波発信面と前記音波受信部の音波受信面の向きが交差して一対の組となるように連結され、前記一対の組は、一方の組の前記音波発信面が他方の組の前記音波受信面と離間して向かい合い、前記音源を囲う空間を形成するように複数配置された、
ことを特徴とする。
【０００７】
請求項２に記載の発明は、請求項１に記載の遮音装置において、
複数配置される前記一対の組は、それぞれの前記音波発信部から発信される前記音波が前記伝播音波と混合し前記伝播音波を前記空間の外部で聞き取りにくくする、
ことを特徴とする。
【０００８】
請求項３に記載の発明は、請求項１又は２に記載の遮音装置において、
前記音波受信部は、離隔して複数配置され、前記音波発信部は、それぞれの向かい合う前記音波受信部の前記音波受信面に対して前記音波を発信するように複数の音波発信面が交差するように角度を有して配置されている、
ことを特徴とする。
【０００９】
請求項４に記載の発明は、請求項３に記載の遮音装置において、
離隔して配置された複数の前記音波受信部のひとつは、他の前記音波受信部に対して前記空間の外側になるように配置されている、
ことを特徴とする。
【００１０】
請求項５に記載の発明は、請求項３に記載の遮音装置において、
離隔して配置された複数の前記音波受信部のひとつは、他の前記音波受信部に対して前記空間の内側になるように配置されている、
ことを特徴とする。
【００１１】
請求項６に記載の発明は、請求項１ないし５のいずれか１項に記載の遮音装置において、
前記音波発信部及び前記音波受信部は、前記音波の進行方向と交差する方向に延びる柱状体であって、前記音波発信部は、超音波を搬送波として前記音波を出力する超指向性スピーカが前記柱状体の長手方向に沿って複数配列されている、
ことを特徴とする。
【００１２】
請求項７に記載の発明は、請求項１ないし６のいずれか１項に記載の遮音装置において、
前記空間の上部に、前記音波発信部と前記音波受信部が互いに対向して前記空間を覆うように更に配置されている、
ことを特徴とする。
【発明の効果】
【００１５】
請求項１に記載の発明によれば、空間内の音声や会話の内容を外部から聞き取りにくくすることができる空間を低コストで容易に設置することができる。
【００１６】
請求項２に記載の発明によれば、空間内から外部へ伝播する音声をマスキングすることができる。
【００１７】
請求項３に記載の発明によれば、空間内から外部へ伝播する音声をよりマスキングすることができる。
【００１８】
請求項４に記載の発明によれば、空間内では音声を聞き取りやすく、空間外では空間内から外部へ伝播する音声を聞き取りにくくすることができる。
【００１９】
請求項５に記載の発明によれば、空間外では空間内から外部へ伝播する音声をより聞き取りにくくすることができる。
【００２０】
請求項６に記載の発明によれば、空間にマスキング音による面状の遮音壁を形成することができる。
【００２１】
請求項７に記載の発明によれば、空間の上方にマスキング音による面状の遮音壁を形成することができる。
【図面の簡単な説明】
【００２４】
【図１】（ａ）は第１実施形態に係る遮音装置が適用された空間の一例を示す斜視図、（ｂ）は（ａ）に示す空間の平面模式図である。
【図２】（ａ）は音波発信部の内部構成を示す横断面模式図、（ｂ）は縦断面模式図である。
【図３】（ａ）は音波受信部の内部構成を示す横断面模式図、（ｂ）は縦断面模式図である。
【図４】（ａ）は一対の組となるように連結された音波発信部及び音波受信部を示す横断面模式図、（ｂ）は一対の組となるように連結された音波発信部及び音波受信部と、他方の組の音波発信部及び音波受信部とが離隔して向かい合うように配置された状態を示す平面模式図。
【図５】一対の組となった音波発信部及び音波受信部が音源を囲う空間を形成するように複数配置された遮音装置を示す平面模式図である。
【図６】一対の組となった音波発信部及び音波受信部が音源を囲う空間を形成するように複数配置された変形例１の遮音装置を示す平面模式図である。
【図７】（ａ）は変形例２に係る遮音装置が適用された空間の一例を示す斜視図、（ｂ）は（ａ）に示す空間の側面模式図である。
【図８】（ａ）は第２実施形態に係る遮音装置が適用された空間の一例を音波発信部に視点をおいて示す斜視図、（ｂ）は音波受信部に視点をおいて示す斜視図である。
【図９】（ａ）は向き合って配置されたアーチ状体における音波発信部から音波受信部に向かって発信された音波の進行を示す平面模式図、（ｂ）はアーチ状体の内面における音波の発信を示す側面模式図である。
【発明を実施するための形態】
【００２５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、理解の容易のために説明に必要な要素以外の図示は適宜省略されている。
【００２６】
「第１実施形態」
（１）遮音装置の構成
図１（ａ）は本実施形態に係る遮音装置が適用された空間の一例を示す斜視図、（ｂ）は（ａ）に示す空間の平面模式図、図２（ａ）は音波発信部の内部構成を示す横断面模式図、（ｂ）は縦断面模式図、図３（ａ）は音波受信部の内部構成を示す横断面模式図、（ｂ）は縦断面模式図、図４（ａ）は一対の組となるように連結された音波発信部及び音波受信部を示す横断面模式図、（ｂ）は一対の組となるように連結された音波発信部及び音波受信部と、他方の組の音波発信部及び音波受信部とが離隔して向かい合うように配置された状態を示す平面模式図である。
以下、図面を参照しながら本実施形態に係る遮音装置について説明する。
【００２７】
遮音装置１は、図１に示すように、音源Ｓからの伝播音波ＳＡ（図５ 参照）の周波数を含む周波数の音波を発信する音波発信部１０と、音波発信部１０から発信される音波を受信する音波受信部２０と、が互いに音波発信部１０の音波発信面１０Ａ、１０Ｂと音波受信部２０の音波受信面２０Ａ、２０Ｂ（図４  参照）の向きが交差して一対の組となるように連結され、音源Ｓを囲う空間Ｒ（図中  二点鎖線で示す）を形成するように複数配置されている。
【００２８】
遮音装置１で囲まれた空間Ｒ（図中  二点鎖線で示す）の一例としては、図１（ｂ）に示すように、机Ｄが配置され、会議、商談、打ち合わせ等を行う会話空間であり、空間Ｒ内においては、発言を行う人が音源Ｓとなって、周波数１００〜５０００ＨＺ前後の発言音としての伝播音波ＳＡが発生する。本実施形態に係る遮音装置１においては、音波発信部１０から音波受信部２０に向かって伝播音波ＳＡの周波数を含む周波数の音波が発信され、発言音と混合されることで、空間Ｒの外部では発言音が聞き取りにくく、会話内容が不明瞭となる。
【００２９】
音波発信部１０は、図２に示すように、柱状の本体１１と、本体１１の内部に設置されたスピーカ１２からなる。本体１１は、遮音装置１として配置される床面からの高さが、空間Ｒとして必要な高さと略同等とされ、例えば１５００ｍｍ〜２０００ｍｍ、直径がスピーカ１２をその内部に収容できる大きさ、例えば１００ｍｍ〜１５０ｍｍの柱状体であり、材質は、金属、樹脂、木製等のいずれであってもよい。
【００３０】
スピーカ１２は、発振回路・増幅装置（不図示）から供給されるマスキング音信号を音波に変換して超音波を搬送波としてマスキング音を放音する超指向性スピーカである。
図２（ｂ）に示すように、本体１１は、一面に開口部１１ａを有し、開口部１１ａには、スピーカ１２が、本体１１の長手方向（高さ方向）に沿って、複数配列されている。これにより、空間Ｒにマスキング音からなる面状の遮音壁を形成している。
【００３１】
また、スピーカ１２は、図２（ａ）に示すように、平面視において、マスキング音が放音される方向が交差するように角度（図２（ａ）中  Θ参照）を有して配置されている。各スピーカ１２は、音波発信部１０の音波発信面１０Ａ、１０Ｂを構成し、後述するように、音波発信部１０と離間して向かい合う音波受信部２０の離隔して配置される音波受信面２０Ａ、２０Ｂのそれぞれに対してマスキング音（図４（ｂ）中  Ｍ１Ａ、Ｍ１Ｂ参照）を発信する。これにより、空間Ｒから外部に伝播する発言音を聞き取りにくくしている。
【００３２】
音波受信部２０は、図３に示すように、柱状の本体２１と、本体２１の内部に配置された吸音材２２からなる。本体２１は、互いに向かい合う音波発信部１０の本体１１と略同じ高さとされ、例えば１５００ｍｍ〜２０００ｍｍ、直径が例えば１００ｍｍ〜１５０ｍｍの柱状体であり、材質は、金属、樹脂、木製等のいずれであってもよい。
【００３３】
図３（ｂ）に示すように、本体２１は、一面に開口部２１ａを有し、開口部２１ａには、吸音材２２が、本体２１の長手方向（高さ方向）に沿って配置されている。
吸音材２２としては、スピーカ１２から放音されるマスキング音を一定程度吸収できるものであり、例えば、グラスウール、ロックウール、ウレタンフォーム、フェルト、石綿板、木毛板など、音が通り抜けるときに音のエネルギーを減衰させる各種の材料を用いることができる。
このような吸音材２２を本体２１の開口部２１ａに沿って配置することで、スピーカ１２から発信した音波を吸音材２２により吸収して、空間Ｒに面状の遮音壁を形成している。
【００３４】
このように構成される音波発信部１０及び音波受信部２０は、音波発信部１０の音波発信面１０Ａ、１０Ｂと、２つの音波受信部２０の音波受信面２０Ａ、２０Ｂの向きが交差して一対の組となるように支持フレーム３０で連結されている。具体的には、図４（ａ）に示すように、音波発信部１０の音波発信面１０Ａと音波発信部１０に隣接する音波受信部２０の音波受信面２０Ａの向きが略直角になるように配置され、音波発信部１０の音波発信面１０Ｂと音波発信部１０と離隔する音波受信部２０の音波受信面２０Ｂの向きが略直角になるように配置されている。
【００３５】
この一対の組となった音波発信部１０−１及び音波受信部２０−１は、図４（ｂ）に示すように、他方の組の音波発信部１０−２及び音波受信部２０−２と離間して向かい合うように配置され、一方の組の音波発信部１０−１から放音されたマスキング音が他方の組の音波受信部２０−２で受信される。具体的には、一方の組の音波発信部１０−１の音波発信面（スピーカ１２Ａ）１０−１Ａから発信された音波Ｍ１Ａ（図中  実線で示すＭ１Ａ参照）は、離隔して向かい合うように配置された他方の組の音波受信部２０−２Ａで受信され、音波発信面（スピーカ１２Ｂ）１０−１Ｂから発信された音波Ｍ１Ｂ（図中  実線で示すＭ１Ｂ参照）は、音波受信部２０−２Ｂで受信される。
【００３６】
（２）遮音装置の作用
図５は一対の組となった音波発信部１０及び音波受信部２０が音源Ｓを囲う空間Ｒ（図中  二点鎖線で示す）を形成するように複数配置された遮音装置１を示す平面模式図である。
図５に示すように、遮音装置１は、音波発信部１０及び音波受信部２０が一対の組となって、一方の組の音波発信部１０から放音されたマスキング音としての音波Ｍが他方の組の音波受信部２０で受信されるように離隔して互いに向かい合うように配置されている。
【００３７】
図５において、一方の組の音波発信部１０−１の音波発信面（スピーカ１２Ａ）１０−１Ａから発信された音波Ｍ１Ａ（図中  実線で示すＭ１Ａ参照）は、離隔して向かい合うように配置された他方の組の音波受信部２０−２Ａで受信され、音波発信面（スピーカ１２Ｂ）１０−１Ｂから発信された音波Ｍ１Ｂは、音波受信部２０−２Ｂで受信される。そして、空間Ｒ（図中  二点鎖線で示す）の音源Ｓ（図中  破線で示す）から発せられる発言音は伝播音波ＳＡ（図中  破線で示すＳＡ参照）として一部が空間Ｒの外部に向かって伝播するが、音波発信部１０−１の音波発信面（スピーカ１２Ａ）１０−１Ａから発信された音波Ｍ１Ａ及び音波発信面（スピーカ１２Ｂ）１０−１Ｂから発信された音波Ｍ１Ｂと混合され、空間Ｒの外部では発言音が不明瞭になり聞き取りにくくなる。
【００３８】
また、図５に示すように、他方の組の音波発信部１０−２の音波発信面（スピーカ１２Ａ）１０−２Ａから発信された音波Ｍ２Ａは、離隔して向かい合うように配置された別の他方の組の音波受信部２０−３Ａで受信され、音波発信面（スピーカ１２Ｂ）１０−２Ｂから発信された音波Ｍ２Ｂは、音波受信部２０−３Ｂで受信される。そして、空間Ｒの音源Ｓから発せられる発言音は伝播音波ＳＡとして一部が空間Ｒの外部に向かって伝播するが、音波Ｍ２Ａ及び音波Ｍ２Ｂと混合され、空間Ｒの外部では発言音が不明瞭になり聞き取りにくくなる。
【００３９】
同様に、図５に示すように、別の他方の組の音波発信部１０−３の音波発信面（スピーカ１２Ａ）１０−３Ａから発信された音波Ｍ３Ａは、離隔して向かい合うように配置された更に別の他方の組の音波受信部２０−４Ａで受信され、音波発信面（スピーカ１２Ｂ）１０−３Ｂから発信された音波Ｍ３Ｂは、音波受信部２０−４Ｂで受信される。そして、空間Ｒの音源Ｓから発せられる発言音は伝播音波ＳＡとして一部が空間Ｒの外部に向かって伝播するが、音波Ｍ３Ａ及び音波Ｍ３Ｂと混合され、空間Ｒの外部では発言音が不明瞭になり聞き取りにくくなる。
【００４０】
そして、図５に示すように、更に別の他方の組の音波発信部１０−４の音波発信面（スピーカ１２Ａ）１０−４Ａから発信された音波Ｍ４Ａは、離隔して向かい合うように配置された一方の組の音波受信部２０−１Ａで受信され、音波発信面（スピーカ１２Ｂ）１０−４Ｂから発信された音波Ｍ４Ｂは、音波受信部２０−１Ｂで受信される。そして、空間Ｒの音源Ｓから発せられる発言音は伝播音波ＳＡとして一部が空間Ｒの外部に向かって伝播するが、音波Ｍ４Ａ及び音波Ｍ４Ｂと混合され、空間Ｒの外部では発言音が不明瞭になり聞き取りにくくなる。
【００４１】
本実施形態においては、音波受信部２０−２Ｂが音波受信部２０−２Ａに対して、空間Ｒの外側に位置するように配置されているために、音波発信面（スピーカ１２Ｂ）１０−１Ｂから発信される音波Ｍ１Ｂは空間Ｒの外側に向かって進行する。そのために、音波Ｍ１Ｂは、伝播音波ＳＡの一部と伝播方向が重なり、伝播音波ＳＡとマスキング音である音波Ｍ１Ｂとの親和性が高くなる。これにより、空間Ｒの外部では伝播音波ＳＡとマスキング音である音波Ｍ１Ｂとが融合して知覚されて、空間Ｒ内の発言音がより聞き取りにくくなる。
【００４２】
空間Ｒを囲うように配置された他方の組の音波発信部１０−２Ｂから発信され別の他方の組の音波受信部２０−３Ｂで受信される音波Ｍ２Ｂ、別の他方の組の音波発信部１０−３Ｂから発信され更に別の他方の組の音波受信部２０−４Ｂで受信される音波Ｍ３Ｂ、及び更に別の他方の組の音波発信部１０−４Ｂから発信され一方の組の音波受信部２０−１Ｂで受信される音波Ｍ４Ｂについても、同様に伝播音波ＳＡの一部と伝播方向が重なり、伝播音波ＳＡとマスキング音である音波Ｍ２Ｂ、Ｍ３Ｂ、Ｍ４Ｂとの親和性が高くなる。
これにより、本実施形態に係る遮音装置１においては、空間Ｒの外部では伝播音波ＳＡとマスキング音である音波Ｍ１Ｂ、Ｍ２Ｂ、Ｍ３Ｂ、Ｍ４Ｂとが融合して知覚されて、空間Ｒ内の発言音がより聞き取りにくくなる。
【００４３】
このように、本実施形態に係る遮音装置１は、互いに音波発信部１０の音波発信面１０Ａ、１０Ｂと音波受信部２０の音波受信面２０Ａ、２０Ｂの向きが交差して一対の組となるように連結された状態で、音源Ｓを囲う空間Ｒを形成するように４隅に配置され、空間Ｒ内の音声や会話の内容を外部から聞き取りにくくすることができる空間Ｒを低コストで容易に設置することができる。
【００４４】
「変形例１」
図６は一対の組となった音波発信部１０及び音波受信部２０が音源Ｓを囲う空間Ｒを形成するように複数配置された変形例１の遮音装置１Ａを示す平面模式図である。
変形例１に係る遮音装置１Ａは、図６に示すように、音波受信部２０−２Ｂが音波受信部２０−２Ａに対して、空間Ｒ（図中  二点鎖線で示す）の内側に位置するように配置され、音波発信面１０−１Ｂから発信される音波Ｍ１Ｂ（図中  実線で示すＭ１Ｂ参照）は空間Ｒの内側に向かって進行する。そのために、音波Ｍ１Ｂは、空間Ｒ内で、伝播音波ＳＡの一部と伝播方向が重なり、伝播音波ＳＡ（図中  破線で示すＳＡ参照）とマスキング音である音波Ｍ１Ｂとの親和性が高くなる。これにより、空間Ｒ内で発生する発言音がマスキング音である音波Ｍ１Ｂにより空間Ｒの外部へ漏れにくくなる。
【００４５】
図６に示すように、空間Ｒを囲うように配置された他方の組の音波発信部１０−２Ｂから発信され別の他方の組の空間Ｒの内側に位置する音波受信部２０−３Ｂで受信される音波Ｍ２Ｂ、別の他方の組の音波発信部１０−３Ｂから発信され更に別の他方の組の空間Ｒの内側に位置する音波受信部２０−４Ｂで受信される音波Ｍ３Ｂ、及び更に別の他方の組の音波発信部１０−４Ｂから発信され一方の組の空間Ｒの内側に位置する音波受信部２０−１Ｂで受信される音波Ｍ４Ｂについても、同様に伝播音波ＳＡの一部と伝播方向が重なり、伝播音波ＳＡとマスキング音である音波Ｍ２Ｂ、Ｍ３Ｂ、Ｍ４Ｂとの親和性が高くなる。
これにより、空間Ｒ内で発生する発言音がマスキング音であるＭ１Ｂ、Ｍ２Ｂ、Ｍ３Ｂ、Ｍ４Ｂにより空間Ｒの外部へ漏れにくくなる。
【００４６】
「変形例２」
図７は（ａ）は変形例２に係る遮音装置１Ｂが適用された空間の一例を示す斜視図、（ｂ）は（ａ）に示す空間の側面模式図である。
変形例２に係る遮音装置１Ｂは、図７に示すように、音源Ｓからの伝播音波ＳＡの周波数を含む周波数の音波を発信する音波発信部１０と、音波発信部１０から発信される音波を受信する音波受信部２０と、が互いに音波発信部１０の音波発信面と音波受信部２０の音波受信面の向きが交差して一対の組となるように連結され、音源Ｓを囲う空間Ｒを形成し、空間Ｒの上部に、音波発信部１０と音波受信部２０が互いに対向して空間Ｒを覆うように更に配置されている。
【００４７】
図７（ｂ）に示すように、空間Ｒ上部の音波発信部１０の音波発信面（スピーカ１２Ａ）１０Ａから発信された音波Ｍ１Ａは、離隔して向かい合うように配置された音波受信部２０Ａで受信され、音波発信面（スピーカ１２Ｂ）１０Ｂから発信された音波Ｍ１Ｂ（図中  実線で示すＭ１Ｂ参照）は、音波受信部２０Ｂで受信される。そして、空間Ｒ（図中  二点鎖線で示す）の音源Ｓから発せられる発言音は伝播音波ＳＡ（図中  破線で示すＳＡ参照）として一部が空間Ｒの上部から外部に向かって伝播するが、音波発信部１０の音波発信面（スピーカ１２Ａ）１０Ａから発信された音波Ｍ１Ａ及び音波発信面（スピーカ１２Ｂ）１０Ｂから発信された音波Ｍ１Ｂと混合され、空間Ｒの外部では発言音が不明瞭になり聞き取りにくくなる。特に、空間Ｒの上部から上方の天井等に向かって伝播する伝播音波ＳＡが天井面で反射して空間Ｒの外部へ伝播した場合であっても、空間Ｒの外部では発言音が不明瞭になり聞き取りにくくなる。
【００４８】
「第２実施形態」
図８（ａ）は本実施形態に係る遮音装置１Ｃが適用された空間の一例を音波発信部に視点をおいて示す斜視図、（ｂ）は音波受信部に視点をおいて示す斜視図、図９（ａ）は向き合って配置されたアーチ状体における音波発信部１０から音波受信部２０に向かって発信された音波の進行を示す平面模式図、（ｂ）はアーチ状体の内面における音波の発信を示す側面模式図である。
【００４９】
遮音装置１Ｃは、図８に示すように、音波発信部１０及び音波受信部２０が、音波Ｍの進行方向と交差する方向に湾曲したアーチ状体であって、音波発信部１０には、超音波を搬送波として音波Ｍを出力する超指向性スピーカ１２がアーチ状体の湾曲方向に沿って複数配列されている。音波受信部２０には、吸音材２２がアーチ状体の湾曲方向に沿って埋め込まれている。
【００５０】
アーチ状体は、図９（ａ）に示すように、互いに向かい合って配置され、一方のアーチ状体の超指向性スピーカ１２から発信される音波Ｍは、他方のアーチ状体に埋め込まれた吸音材２２に吸収されるように進行し、アーチ状体の間では、空間Ｒ（図中  二点鎖線で示す）からの伝播音波ＳＡとマスキング音としての音波Ｍが混合し、空間Ｒの外部においては、発言音が聞き取りにくくなる。
【００５１】
それぞれのアーチ状体には、径方向に湾曲した内面の一方側に超音波を搬送波として音波Ｍを出力する超指向性スピーカ１２Ａが複数配列され、径方向に湾曲した内面の他方側には、超指向性スピーカ１２Ａから発信される音波Ｍを吸収する吸収材２２Ａが埋め込まれている。
【００５２】
図９（ｂ）に示すように、それぞれのアーチ状体の径方向に湾曲した内面の一方側に配置された超指向性スピーカ１２Ａから発信される音波Ｍ（図中  実線で示すＭ参照）は、アーチ状体の径方向に湾曲した内面の他方側に配置された吸音材２２Ａに向かって進行し、空間Ｒ（図中  二点鎖線で示す）からの伝播音波ＳＡとマスキング音としての音波Ｍが混合し、空間Ｒの外部においては、発言音が聞き取りにくくなる。
【００５３】
このように、本実施形態によれば、音源Ｓからの伝播音波ＳＡの周波数を含む周波数の音波を発信するアーチ状体の音波発信部１０と、音波発生部１０から発信される音波Ｍを受信するアーチ状体の音波受信部２０とが互いに対向して音源Ｓを囲う空間Ｒを形成することで、空間Ｒを会議、商談、打ち合わせ等を行う会話空間とすることができる。
会話空間で発せられる発言音は、空間Ｒから外部へ伝播する伝播音波ＳＡとなるが、マスキング音としての音波Ｍと混合されることで、空間Ｒの外部においては、発言音が聞き取りにくくなる。
【符号の説明】
【００５４】
１、１Ａ、１Ｂ、１Ｃ・・・遮音装置
１０・・・音波発信部、１０Ａ、１０Ｂ・・・音波発信面
１１・・・本体、１２、１２Ａ、１２Ｂ・・・スピーカ（超指向性スピーカ）
２０・・・音波受信部、２０Ａ、２０Ｂ・・・音波受信面
２１・・・本体、２２・・・吸音材
Ｍ、Ｍ１Ａ、Ｍ１Ｂ、Ｍ２Ａ、Ｍ２Ｂ、Ｍ３Ａ、Ｍ３Ｂ、Ｍ４Ａ、Ｍ４Ｂ・・・音波
Ｒ・・・空間
Ｓ・・・音源、ＳＡ・・・伝播音波
【要約】
【課題】空間内の音声や会話の内容を外部から聞き取りにくくすることができる空間を低コストで容易に設置することができる遮音装置を提供する。
【解決手段】音源からの伝播音波の周波数を含む周波数の音波を発信する音波発信部と、音波発信部から発信される音波を受信する音波受信部と、が互いに音波発信部の音波発信面と音波受信部の音波受信面の向きが交差して一対の組となるように連結され、音源を囲う空間を形成するように複数配置され、複数配置される一対の組は、一方の組の音波発信面が他方の組の音波受信面と離間して向かい合うように配置され、それぞれの音波発信部から発信される音波が伝播音波と混合し伝播音波を空間の外部で聞き取りにくくする。
【選択図】図５【図１】
0006961855.tif 000002
【図２】
0006961855.tif 000003
【図３】
0006961855.tif 000004
【図４】
0006961855.tif 000005
【図５】
0006961855.tif 000006
【図６】
0006961855.tif 000007
【図７】
0006961855.tif 000008
【図８】
0006961855.tif 000009
【図９】
0006961855.tif 000010